(57)【要約】【課題】横目地に設けられた止水シールが有端状である場合でも、雨水等の水が屋内側に浸入すること防止する。【解決手段】上下の外壁パネル２１，２２間に形成された横目地２６は、二次止水シール４２とその屋外側の一次止水シールとで構成された二重シールの止水構造を有している。そして、住宅本体の構造によって横目地２６が途切れた状態となっているため、二次止水シール４２が有端状となっている。その有端状の二次止水シール４２の端部には、同端部を屋外側に湾曲させ、かつ先端が外面から突出した湾曲部４３が形成されている。一次止水シールを通過して二次止水シール４２との間の隙間を横方向に沿って流れてきた水は、この湾曲部４３によって流れが堰き止められるとともに屋外側へ導かれる。【選択図】図３
2010209615.tif 000002
【特許請求の範囲】
【請求項１】
外装材と下地材とが組み付けられてなる外壁パネル間の横目地に止水シールが設けられ、その止水シールによって建物外部から屋内側への水の浸入を阻止する横目地止水構造において、
前記横目地が途切れて前記止水シールが有端状となっており、その有端状の止水シールの端部には、同止水シールの屋外側で前記横目地の延びる方向に沿って流れてきた水の流れを堰き止める堰き止め部を有していることを特徴とする横目地止水構造。
【請求項２】
前記堰き止め部は、水の流れを堰き止める堰き止め機能の他に、その水を屋外側へ導く導水機能を有していることを特徴とする請求項１に記載の横目地止水構造。
【請求項３】
前記堰き止め部の先端は、前記外壁パネルの外面よりも屋外側に突出していることを特徴とする請求項２に記載の横目地止水構造。
【請求項４】
前記堰き止め部は、前記止水シールの端部が建物屋外側に向けて曲げられることによって形成されていることを特徴とする請求項１乃至３のいずれか１項に記載の横目地止水構造。
【請求項５】
前記止水シールは弾性を有する弾性素材によって構成され、前記横目地の間隔よりも厚く形成されていることを特徴とする請求項１乃至４のいずれか１項に記載の横目地止水構造。
【請求項６】
前記横目地には、前記外装材の間に設けられる一次止水シールと、同一次止水シールの屋内側で前記下地材間に設けられる二次止水シールとが設けられ、
前記堰き止め部を有する止水シールは前記二次止水シールであることを特徴とする請求項１乃至５のいずれか１項に記載の横目地止水構造。
【請求項７】
建物本体の下階部分に上階部分の一側面よりも外方に拡張された拡張下階部が設けられ、同拡張下階部では上階外壁パネルが設けられていないために前記横目地が途切れた状態とされ、さらに、その横目地の途切れた端部は前記拡張下階部に設けられた下屋によって覆われており、
前記止水シールは前記横目地の端部に至るまで設けられ、前記堰き止め部も前記下屋に覆われていることを特徴とする請求項１乃至６のいずれか１項に記載の横目地止水構造。
【請求項８】
建物本体にその外方へ張り出す張り出し部が設けられ、同張り出し部は前記横目地より下方に下端が配置される張り出し骨組を有しているために、その部分では下階外壁パネルの上端が他よりも低く形成されて前記横目地が途切れた状態とされており、
前記横目地は同横目地が延びる方向に沿って前記張り出し部の側面内側に至るまで形成され、前記止水シールの堰き止め部はその側面内側に配置されていることを特徴とする請求項１乃至６のいずれか１項に記載の横目地止水構造。
【請求項９】
複数の外壁パネルが設けられて外壁が構成されている建物において、
上下に隣接する前記外壁パネル間に形成された横目地が、請求項１乃至８のいずれか１項に記載の横目地止水構造を備えていることを特徴とする建物。
【発明の詳細な説明】
【技術分野】
【０００１】
本発明は、上下に隣接する外壁パネル間に形成される横目地の止水構造、及びそれを備えた建物に関する。
【背景技術】
【０００２】
複数の外壁パネルが組み合わされてなる外壁を有する建物では、外壁パネル間に縦目地及び横目地が形成される。この縦目地や横目地から雨水等の水が建物内部に浸入するのを防止するため、これらの目地には止水シールが設けられている。
【０００３】
しかしながら、風雨にさらされる止水シールの経時劣化などを要因として、止水シールが設けられているにもかかわらず、漏れが生じるおそれがある。このため、その対策として、目地の前後に止水シールを二重に配置する止水構造が提案されている。すなわち、外部に露出する止水シールを一次止水シールとし、その後方にバックアップシールとしての二次止水シールを設けるという構造である。これにより、経時劣化などを要因とする傷から一次止水シールを水が通過したとしても、二次止水シールによって水が受け止められ、それ以上の建物内部への水の浸入を防ぐことができる（例えば、特許文献１参照）。
【０００４】
また、このような二重シールの止水構造は、建物がバルコニー等の張り出し部を有する場合に形成される横目地にも同様に適用されている。その一例を、バルコニーと建物本体との接続部分を示す平面図である図７を参照しながら説明する。
【０００５】
この図７に示されているように、建物本体８１にはバルコニー８２が設けられている。バルコニー８２は本体骨組８３の一部を利用した張り出し骨組８４を有し、その腰壁側面は建物本体８１の一側面と同一平面をなしている。このため、腰壁を構成する腰壁パネル８５が建物本体８１の外壁パネル８６に横並びの状態で張り出し骨組８４に取り付けられている。このバルコニー８２はその腰壁が上下の外壁パネル間に設けられた横目地をまたいで設置されたものであり、その上端は上階外壁パネル８６の上下中間部分から張り出している。このため、図７における外壁パネル８６はその断面が示され、腰壁パネル８５はその上端面が示されている。そして、腰壁パネル８５の建物本体側端部の上方には上階コーナー外壁パネルが設置され、その部分には水平方向に沿ってＬ字状に延びる横目地８７が腰壁パネル８５と上階コーナー外壁パネルとの間に形成されている。
【０００６】
この横目地８７の止水構造として、定形シールよりなる二次止水シール８８（８８ａ，８８ｂ）が設けられ、腰壁パネル８６と上階コーナー外壁パネルによって挟まれた状態で保持されている。この二次止水シール８８は、横Ｔ状をなすクロス目地用の役物８８ａと横二次止水シール８８ｂとで構成されている。両者はそのつなぎ目部分で互いに相手を押圧し合い、その反対側端部では外壁パネル８６の縦枠材８６Ａに密接した状態で腰壁パネル８５の上端面に取り付けられている。そして、図示が省略されているが、この二次止水シール８８の屋外側には不定形シールよりなる一次止水シールが設けられている。この二重シールの止水構造によって、横目地８７の止水性が高められ、建物内部への水の浸入を防いでいる。
【先行技術文献】
【特許文献】
【０００７】
【特許文献１】特開２００３−１１９９１６号公報
【発明の概要】
【発明が解決しようとする課題】
【０００８】
外壁パネル間に形成される縦目地や横目地の止水構造に話を戻すと、その縦目地における二重シールの止水構造では、一次止水シールを通過した水は、二次止水シールとの間の隙間を流下させてその隙間の下端から屋外に排出される。
【０００９】
これに対し、横目地における二重シールの止水構造では、一次止水シールを通過した水は二次止水シールとの間の隙間で横方向、つまり横目地の延びる水平方向に流れる。この場合、一次止水シールの存在により、その横方向に流れる水を屋外へ排出することは困難である。ただそれでも、横目地が途切れずに設けられた建物であれば、二次止水シールによって受け止められる状態が続くため、その水が建物に悪影響を及ぼすおそれは少ない。
【００１０】
ところが、建物によっては、その構造上、横目地が途切れている場合もある。この場合の止水構造を、図８を参照しながら簡単に説明すると、梁や柱等の骨組である鋼材９１の屋外側に下階外壁パネル９２が設置されている。下階外壁パネル９２と上階外壁パネルとの間の横目地９３には、一次止水シール９４と二次止水シール９５とが設けられている。下屋９６が存在する部分で横目地９３が途切れているため、両止水シール９４，９５は有端状となり、その端部で両止水シール９４，９５間に形成された隙間が横方向に向けて開放された状態となっている。
【００１１】
かかる止水構造では、一次止水シール９４を通過した水が図８に矢印で示すように横方向に向かって流れて両止水シール９４，９５の端部に至ると、シール間の隙間の開放端から水が流れ出てしまうおそれがある。この場合、その流れ出た水が屋内側に浸入し、湿気等の点で建物に悪影響を及ぼすことが懸念される。
【００１２】
そこで、本発明は、横目地に設けられた止水シールが有端状である場合でも、雨水等の水が屋内側に浸入すること防止できる横目地止水構造、及びそれを備えた建物を提供することを主たる目的とするものである。
【課題を解決するための手段】
【００１３】
本発明は、上記課題を解決するために、以下の手段を採用した。
【００１４】
すなわち、第１の発明では、外装材と下地材とが組み付けられてなる外壁パネル間の横目地に止水シールが設けられ、その止水シールによって建物外部から屋内側への水の浸入を阻止する横目地止水構造において、前記横目地が途切れて前記止水シールが有端状となっており、その有端状の止水シールの端部には、同止水シールの屋外側で前記横目地の延びる方向に沿って流れてきた水の流れを堰き止める堰き止め部を有していることを特徴とする。
【００１５】
この構成によれば、横目地に設けられた止水シールの屋外側で、横目地の延びる方向（横方向）に沿って雨水等の水が流れたとしても、その水は止水シール端部の堰き止め部によって堰き止められる。これにより、横方向に流れる水が止水シールの端部から流れ出て、屋内側に浸入することを防止できる。
【００１６】
前記堰き止め部は、水の流れを堰き止める堰き止め機能の他に、その水を屋外側へ導く導水機能を有していることが好ましい。
【００１７】
この構成によれば、堰き止め部が導水機能を併有しているため、横方向に流れる雨水等の水が堰き止められるだけでなく屋外側に導かれる。これにより、その堰き止め部による導きによって水を屋外側へ排出しやすくすることができる。
【００１８】
また、このように導水機能を有する場合、前記堰き止め部の先端は、前記外壁パネルの外面よりも屋外側に突出していることがより好ましい。
【００１９】
この構成によれば、堰き止め部の先端が外壁パネルの外面よりも屋外側に突出しているため、導水機能によって屋外側に導かれた水はその外面に至るまでさらに導かれる。これにより、横方向に流れて堰き止められた水が屋内側に浸入することを確実に防止できる。
【００２０】
前記堰き止め部は、前記止水シールの端部が建物屋外側に向けて曲げられることによって形成されていることが好ましい。
【００２１】
この構成によれば、止水シールの端部を屋外側に向けて曲げることによって堰き止め部が形成されているため、止水シールの端部に別部材が別途設けられる構成と異なり、止水シールと堰き止め部との境界部分での防水を考慮する必要がなくなる。これにより、堰き止め部を有する止水シールの施工を容易に行える。なお、堰き止め部が導水機能を有する場合、その屋外側への導水をスムーズに行うためには、湾曲した形状に曲げられることが好ましい。
【００２２】
前記止水シールは弾性を有する弾性素材によって構成され、前記横目地の間隔よりも厚く形成されていることが好ましい。
【００２３】
この構成によれば、止水シールが弾性素材によって構成されているため、横目地の間隔が多少異なってもそれを吸収することができ、現場の施工管理が容易になる。また、止水シールの端部が屋外側に曲げられることで堰き止め部が形成されている構成では、その堰き止め部が上下の外壁パネルによって圧縮された状態で挟まれるため、曲げられた状態の維持が容易となる。
【００２４】
前記横目地には、前記外装材の間に設けられる一次止水シールと、同一次止水シールの屋内側で前記下地材間に設けられる二次止水シールとが設けられ、前記堰き止め部を有する止水シールは前記二次止水シールであることが好ましい。
【００２５】
止水シールが一次止水シールと二次止水シールとで構成される二重の止水構造では、一次シールを通過して二次止水シールとの間の隙間に浸入した水が、一次止水シールの存在によって外に排出されない。そのため、横方向に水が流れて止水シールの端部に至り、隙間の開放端から流れ出るという問題が顕著に現れる。このため、二次止水シールについて上記各構成を採用すれば、それによって得られる効果も大きい。
【００２６】
ここで、前記横目地が途切れた状態とされる具体的構成として、建物本体の下階部分に上階部分の一側面よりも外方に拡張された拡張下階部が設けられ、同拡張下階部では上階外壁パネルが設けられてないために横目地が途切れた状態とされる場合が考えられる。この場合、その横目地の途切れた端部は前記拡張下階部に設けられた下屋によって覆われており、前記止水シールは前記横目地の端部に至るまで設けられ、前記堰き止め部も前記下屋に覆われていることが好ましい。
【００２７】
かかる構成によれば、堰き止め部を有する止水シールの端部が下屋に覆われて外部に露出しないため、横目地端部での止水性が高められるし、堰き止め部の存在によって建物外観の美観が損なわれることを防止できる。
【００２８】
また、別の具体的構成として、建物本体にその外方へ張り出す張り出し部が設けられ、同張り出し部は前記横目地より下方に下端が配置される張り出し骨組を有しているために、その部分では下階外壁パネルの上端が他よりも低く形成されて前記横目地が途切れた状態とされた場合も考えられる。この場合、前記横目地は同横目地が延びる方向に沿って前記張り出し部の側面内側に至るまで形成され、前記止水シールの堰き止め部はその側面内側に配置されていることが好ましい。
【００２９】
かかる構成によれば、堰き止め部を有する止水シールの端部が張り出し部の側面内側に配置されて外部に露出しないため、横目地端部での止水性が高められるし、堰き止め部の存在によって建物外観の美観が損なわれることを防止できる。
【００３０】
そして、複数の外壁パネルが設けられて外壁が構成されている建物において、上下に隣接する前記外壁パネル間に形成された横目地に上記いずれかの構成を有する横目地止水構造が適用されることが好ましい。これにより、横目地の止水性に優れた建物が得られる。
【図面の簡単な説明】
【００３１】
【図１】第１実施形態における住宅の概略を示す斜視図。
【図２】図１のＡ−Ａ断面における外壁部分の断面図。
【図３】下屋の迫り出し部（図１のＢ部分）における外壁の分解斜視図。
【図４】第２実施形態における住宅の概略を示す斜視図。
【図５】住宅の側面Ｘの一部拡大正面図。
【図６】図５におけるＣ−Ｃ断面図。
【図７】従来の横目地止水構造の一例（バルコニーと建物本体との接続部分）を示す平面図。
【図８】従来の横目地止水構造における問題点を説明する説明図。
【発明を実施するための形態】
【００３２】
以下に、本発明を具体化する一実施の形態について図面を参照しながら説明する。この実施形態では、鉄骨軸組工法によって建てられるとともに、複数の外壁パネルを組み合わせて外壁が設けられている二階建ての戸建て住宅が、建物の具体例とされている。
【００３３】
［第１の実施形態］
はじめに、第１の実施形態における二階建て住宅の概略構成及び外壁構造を、図１を参照しながら簡単に説明する。なお、図１は、当該住宅の概略を示す斜視図である。
【００３４】
まず、住宅全体の概略構成を説明すると、図１に示されているように、住宅Ｔ１は住宅本体１１と、屋根１６，１７とを備えている。住宅本体１１は一階部分１２と二階部分１３とで構成され、床面積は一階部分１２より二階部分１３の方が小さくなっている。このため、一階部分１２には二階部分１３の一側面１３ａよりも外方に拡張された拡張下階部１４が設けられている。そして、屋根１６，１７は下屋（一階屋根）１６と主屋根（二階屋根）１７とからなり、一階部分１２の拡張下階部１４に下屋１６が、二階部分１３に主屋根１７が設けられている。なお、以下では下屋１６に接する二階部分１３の一側面１３ａを下屋接続面１３ａという。そして、下屋１６は、その下屋接続面１３ａの横方向両端部に迫り出し部１８を有している。迫り出し部１８は、下屋接続面１３ａにおける出隅部分の下端側を回り込むようにして設けられている。
【００３５】
続いて、住宅本体１１の外壁構造を説明すると、一階部分１２には複数の下階外壁パネル２１が、二階部分１３には複数の上階外壁パネル２２が設けられている。この下階外壁パネル２１及び上階外壁パネル２２は、それぞれ上下一例に並んで配置されている。また、一階部分１２及び二階部分１３のいずれにおいても、外壁の出隅部分にはコーナー外壁パネル２３，２４が設けられている。このため、住宅Ｔ１の外壁は、これら上下階の外壁パネル２１，２２及び上下階のコーナー外壁パネル２３，２４によって構成されている。
【００３６】
これら各外壁パネル２１〜２４は、例えば１０ｍｍ程度の一定間隔をおいて配置されている。このため、その隙間によって、下階外壁パネル２１間及び下階外壁パネル２１と下階コーナー外壁パネル２３との間、上階外壁パネル２２間及び上階外壁パネル２２と上階コーナー外壁パネル２４との間には、縦一直線状をなす縦目地２５が形成されている。また、下階外壁パネル２１及び下階コーナー外壁パネル２３と上階外壁パネル２２及び上階コーナー外壁パネル２４との間にも、横一直線状をなす横目地２６が形成されている。これら縦目地２５及び横目地２６には、雨水等の水が屋内側に浸入することを防止するために、止水処理が施されている。
【００３７】
次に、その横目地２６の止水構造について、図２を参照しながら詳しく説明する。なお、図２は図１のＡ−Ａ断面における外壁部分の断面図である。
【００３８】
図２に示されているように、上下階の各外壁パネル２１，２２は、いずれも屋外に露出する外装材３１とその背面側に固定された外装フレーム３２とを備え、その両者が組み付けられている。外装材３１は、例えば窯業系等の耐候性に優れた素材によって形成されたサイディングである。住宅Ｔ１の外観を決定付けるものであって、意匠性を高めるべく表面に凹凸模様等が施されている。外装フレーム３２（下地材に相当）は、横断面コ字状をなす枠材３３，３４によって構成され、その剛性の高さによって外壁パネルとしての強度が高められている。そして、この外装フレーム３２が取付板３５等を介して二階床受梁３６にボルト等の固定具３７によって連結され、それにより各外壁パネル２１，２２が住宅Ｔ１の骨組（梁など）に取り付けられている。
【００３９】
上下階の各コーナー外壁パネル２３，２４については、前述した各外壁パネル２１，２２と同様の構成を有している。もっとも、平板状に形成された上下階の各外壁パネル２１，２２と異なり、各コーナー外壁パネル２３，２４は略直角に折れ曲がったＬ字形状をなしており、外装材３１や外装フレーム３２の形状もそれに対応したものとなっている。
【００４０】
横目地２６には、下階外壁パネル２１と上階外壁パネル２２との外装材３１間に不定形シールからなる一次止水シール４１が設けられている。なお、不定形シールとはペースト状の不定形な樹脂材料を目地に充填することで固定される防水材である。一次止水シール４１の背面側（屋内側）には定形シールからなる二次止水シール４２が設けられている。この二次止水シール４２はエチレン・プロピレン・ジエンゴム（ＥＰＤＭ）等の弾性を有する樹脂素材により、横目地２６よりも厚く形成されている。このため、二次止水シール４２は、一階側の外装フレーム３２を構成する上枠材３３と二階側の外装フレーム３２を構成する下枠材３４の間に圧縮された状態で介在している。
【００４１】
ここで、図１に戻って住宅Ｔ１の外壁構造をみてみると、一階部分１２の拡張下階部１４では上階外壁パネル２２が設置されておらず、二階部分１３の下屋接続面１３ａでは下階外壁パネル２１が設置されていない。そのため、これらの箇所では縦目地２５が一階部分１２又は二階部分１３のいずれか一方のみに形成され、他の箇所のように横目地２６との交差部２７を経て上下階に連続形成された状態となっていない。また、前述の箇所では横目地２６も形成されていないため、図１に太線にて示されているように、横目地２６は途切れた状態となっている。
【００４２】
このように下屋接続面１３ａに横目地２６が形成されていないとしても、その横目地非形成部分は下屋１６によって覆われている。また、この住宅Ｔ１では、下屋１６が前記迫り出し部１８を有しているため、横目地２６の両端部がその迫り出し部１８によって覆われて露出しない。このため、下屋接続面１３ａの横目地非形成部分には、止水処理の施工が要求されない。
【００４３】
もっとも、横目地２６の端部の止水構造について、一次止水シール４１を通過して二次止水シール４２との隙間に浸入した水が、その隙間の開放端から流れ出てしまうという問題を改善する必要がある。本実施の形態では、その点を考慮した特徴的構成を有しているため、その横目地端部の止水構造について、図３を参照しながら次に説明する。なお、図３は下屋の迫り出し部（図１のＢ部分）における外壁の分解斜視図である。
【００４４】
図３に示されているように、下屋１６の迫り出し部１８では、一対の下階外壁パネル２１と、上階外壁パネル２２及び上階コーナー外壁パネル２４とが設けられて、外壁が構成されている。これら各外壁パネル２１，２２，２４により、縦目地２５及び横目地２６の他、それらが交差する交差部２７が形成されている。縦目地２５は交差部２７を介して上下連続して形成されており、交差部２７の周辺部が迫り出し部１８によって覆われた状態となっている。一方、横目地２６は、下階外壁パネル２１と上階コーナー外壁パネル２４との間に形成された部分までで途切れている。そして、その途切れた端部側、及び交差部２７の周辺部が迫り出し部１８によって覆われている。
【００４５】
横目地２６についてさらに説明すると、その途切れた一端部に至るまで二次止水シール４２が設けられている。このため、二次止水シール４２は有端状に形成されており、交差部２７を越えた部分の長さＬ１は、上階コーナー外壁パネル２４の一面横幅Ｌ２と略同じ長さに形成されている。その上で、二次止水シール４２の端部には、湾曲部４３が形成されている。この湾曲部４３は、二次止水シール４２の端部が屋外側に向けて湾曲した形状をなすように曲げられ、かつその先端が各外壁パネル２１，２２，２４の外面より屋外側に突出した状態となっている。この湾曲部４３により、横目地２６に沿って流れてきた水はその流れが堰き止められるとともに、屋外側へ導かれる。したがって、湾曲部４３が屋外側への導水機能を有する堰き止め部に相当する。
【００４６】
なお、住宅Ｔ１の施工時において、下階側の各外壁パネル２１，２３の設置後、上階側の各外壁パネル２２，２４の設置前に、下階側の各外壁パネル２１，２３の上端面に接着剤等で二次止水シール４２が接着される。その接着工程において、二次止水シール４２の端部が曲げられて湾曲部４３が形成される。そして、二次止水シール４２のうち交差部２７を越えた部分は、下階外壁パネル２１と上階コーナー外壁パネル２４との間に圧縮された状態で挟まれているため、その挟み込みによって湾曲部４３の形状維持が可能となる。
【００４７】
二次止水シール４２の端部が途切れ、湾曲部４３が形成されていても、その部分は下屋１６の迫り出し部１８によって覆われて外部に露出していないため、外観上は特に問題とされない。また、図３では一次止水シール４１が省略されているが、この一次止水シール４１を横目地２６端部のどの部分まで設けるかは任意である。その他、図３では図１のＢ部分における迫り出し部１８の構成を説明しているが、これと反対側の迫り出し部１８においても同様の構成を備えているため、その部分についての説明は省略する。
【００４８】
横目地２６の端部が以上のような止水構造を有するため、一次止水シール４１を通過して二次止水シール４２との間の隙間に浸入した水の流れは次のようになる。まずその水は、二次止水シール４２によって受け止められる。そして、その浸入した水が横方向、つまり横目地２６の延びる方向に向かって流れてシール端部に至ると、湾曲部４３によってその流れが堰き止められるとともに、湾曲部４３の形状に沿って流れて屋外側に導かれる。その後、横目地２６から下階外壁パネル２１の外面を伝って流下して排出される。これにより、二次止水シール４２との隙間に浸入した水が有端状のシール端部に至ったとしても、その水が屋内側に浸入するおそれは大幅に低減する。
【００４９】
［第２の実施形態］
次に、第２の実施形態について説明する。この実施形態でも鉄骨軸組工法によって建てられた二階建ての戸建て住宅を建物の具体例とし、上記第１の実施形態の構成と相違する点を中心に説明する。その説明に際し、同一の部材等については、適宜、同一の名称及び符号を用いてその詳しい説明は省略する。
【００５０】
はじめに、第２の実施形態における二階建て住宅の概略及び外壁構造を、図４乃至図６を参照しながら説明する。なお、図４は当該住宅の概略構成を示す斜視図、図５は住宅の側面Ｘの一部拡大正面図、図６は図５におけるＣ−Ｃ断面図である。
【００５１】
まず、図４に示されているように、住宅Ｔ２も住宅本体５１と屋根５６とを備え、住宅本体５１は一階部分５２と二階部分５３とで構成されている。また、住宅本体５１の外壁構造として、下階外壁パネル２１、上階外壁パネル２２、下階コーナー外壁パネル２３及び上階コーナー外壁パネル２４がそれぞれ複数設けられている。
【００５２】
もっとも、この実施形態の住宅Ｔ２では、床面積が一階部分５２と二階部分５３とで略同じであるため、第１実施形態の住宅Ｔ１における拡張下階部１４や下屋１６に相当する部分が存在していない。その代わり、住宅Ｔ２の一側面から外方に張り出したキャンチバルコニー５７（張り出し部に相当）が設けられている。このキャンチバルコニー５７はその腰壁が横目地２６をまたいで設置されており、その上端は二階部分５３から、下端は一階部分５２から張り出している。また、複数（図４では３つ）の縦目地２５をまたぐ横幅を有している。このキャンチバルコニー５７によって囲まれた空間が、バルコニー空間５８となっている。
【００５３】
そして、図５及び図６に示されているように、キャンチバルコニー５７は住宅本体５１に連結された張り出し骨組６１を有している。張り出し骨組６１は住宅本体５１の骨組（梁や柱など）５４に連結されて外方に突出するキャンチ梁６２を含み、その下端は横目地２６より下方に配置されている。腰壁パネル６３は図６にその一部が示されているが、張り出し骨組６１の外面側全域に平面視コ字状をなすように複数設けられている。各腰壁パネル６３は前述した各外壁パネル２１〜２４と同様に、外装材６４と外装フレーム６５とで構成されている。その他、張り出し骨組６１のバルコニー空間側には、図５に示されているように、ＡＬＣ等の気泡コンクリート、防水パン、バルコニー床材等によって構成された床構成部材６６が設けられている。
【００５４】
住宅Ｔ２の一側面Ｘにこのようなキャンチバルコニー５７が設けられていることにより、その部分では下階外壁パネル２１が他の下階外壁パネル２１と異なった形状に形成されている。前記図５を参照して詳しく説明すると、キャンチバルコニー５７が設置された部分では、下階外壁パネル２１としてキャンチ部第１外壁パネル７１とその両側部に設けられるキャンチ部第２外壁パネル７２とが用いられている。この両外壁パネル７１，７２は他の下階外壁パネル２１とその基本構成（外装材３１及び外装フレーム３２）は同じである。ただ、キャンチ部第１外壁パネル７１は、他の下階外壁パネル２１よりも上端高さが、例えば３００ｍｍ程度低く形成されている。また、キャンチ部第２外壁パネル７２にはキャンチ部第１外壁パネル７１と隣接する側の上端角部が切り欠かれた形状をなすキャンチ梁設置部７３が形成され、そこのキャンチ梁６２が設置されている。
【００５５】
そして、バルコニー設置部分での下階外壁パネル７１，７２が上記形状を有しているため、キャンチ梁設置部７３同士の間では上階外壁パネル２２の下端との間に横目地２６や交差部２７が形成されていない。そのため、図４に太線にて示されているように、横目地２６はキャンチバルコニー５７の横方向両端部で途切れた状態となっている。
【００５６】
このように、キャンチバルコニー５７の設置部分に横目地２６が形成されていないとしても、その横目地非形成部分や横目地２６の両端部はキャンチバルコニー５７の腰壁パネル６３や床構成部材６６等によって覆われて露出していない。このため、住宅本体５１の側面Ｘにおける横目地非形成部分には、止水処理の施工が要求されない。
【００５７】
もっとも、第１の実施形態と同様、ここでも横目地２６の端部の止水構造について、一次止水シール４１と二次止水シール４２との間の隙間に浸入した水が、その隙間の開放端から流れ出てしまうという問題を改善する必要がある。本実施の形態でも、その点を考慮した特徴的構成を有しているため、その横目地端部の止水構造について、図６を参照しながら次に説明する。
【００５８】
図６に示されているように、キャンチバルコニー５７の横方向一端部（図５の左端部）では、張り出し骨組６１を構成するキャンチ梁６２の屋外側に腰壁パネル６３が設けられている。そして、横目地２６はキャンチ部第２外壁パネル７２のキャンチ梁設置部７３に至るまで形成され、キャンチ梁設置部７３及びキャンチ部第１外壁パネル７１の上端との間には形成されていない。つまり、キャンチ梁設置部７３にて横目地２６は途切れた状態となっている。
【００５９】
そして、横目地２６には腰壁パネル６３の外面よりも内側（バルコニー空間５８側）に入り込むまで二次止水シール４２が設けられ、その二次止水シール４２は有端状に形成されている。そして、二次止水シール４２の端部には、湾曲部４４が形成されている。この湾曲部４４は、腰壁パネル６３の外面よりも内側において、二次止水シール４２の端部が屋外側、つまり腰壁パネル６３の側面に向けて湾曲形状をなすように曲げられ、かつその先端がキャンチ部第２外壁パネル７２の外面より屋外側に突出した状態となっている。この湾曲部４４により、横目地２６に沿って流れてきた水はその流れが堰き止められるとともに、屋外側へ導かれる。したがって、湾曲部４４が屋外側への導水機能を有する堰き止め部に相当する。
【００６０】
なお、二次止水シール４２の端部において、腰壁パネル６３の外面よりも内側に入り込んだ長さＬ３は、その端部に湾曲部４４が形成された状態を維持できるだけの長さが確保されている。また、湾曲部４４が二次止水シール４２の接着工程で形成される点は、上記第１の実施形態で説明した通りである。そして、二次止水シール４２はキャンチ部第２パネル７２とその上方に配置された上階外壁パネル２２との間に圧縮された状態で挟まれているため、その挟み込みによって前記湾曲部４４の形状維持が可能となる。
【００６１】
二次止水シール４２の端部がこのような構成を有していても、その部分は腰壁パネル６３等によって隠されていて外から視認することはできないため、外観上は特に問題とされない。また、一次止水シール４１の図示が省略されているが、この一次止水シール４１を腰壁パネル６３の外面よりも内側でどの部分まで設けるかは任意である。その他、ここでは図５におけるキャンチバルコニー５７の左端部の構成を説明しているが、右端部でも同様の構成を備えているため、その部分についての説明は省略する。
【００６２】
横目地２６の端部が以上のような止水構造を有するため、一次止水シール４１を通過して二次止水シール４２との間の隙間に浸入した水の流れは次のようになる。まずその水は、二次止水シール４２によって受け止められる。そして、その浸入した水が横方向に向かって流れてシール端部に至ると、湾曲部４４によってその流れが堰き止められるとともに、湾曲部４４の形状に沿って流れて屋外側に導かれる。その後、横目地２６からキャンチ部第２外壁パネル７２の外面を伝って流下して排出される。これにより、二次止水シール４２との隙間に浸入した水が有端状のシール端部に至ったとしても、その水が屋内側に浸入するおそれは大幅に低減する。
【００６３】
［両実施形態の効果］
以上をまとめると、上記第１及び第２の実施形態では、以下に示す有利な効果が得られる。
【００６４】
（１）横目地２６が途切れているために有端状とされた二次止水シール４２の端部に、湾曲部４３，４４が形成されている。そのため、一次止水シール４１を通過した雨水等の水が横方向に流れると、その水は湾曲部４３，４４によって堰き止められるとともに、屋外側に導かれる。これにより、横方向に流れる水が両止水シール４１，４２間の隙間から流れ出て、屋内側に浸入することを防止できる。
【００６５】
（２）湾曲部４３，４４は、その先端が外壁パネル２１，７２の外面よりも屋外側に突出している。このため、両止水シール４１，４２の端部まで流れた水は、この湾曲部４３，４４によって外壁パネル２１，７２の外面に至るまで導かれる。これにより、堰き止められた水が屋内側に浸入することを確実に防止できる。
【００６６】
（３）湾曲部４３，４４は、二次止水シール４２の端部を屋外側に向けて曲げることによって形成されている。このため、二次止水シール４２の端部に別部材が別途設けられる構成と異なり、二次止水シール４２と湾曲部４３，４４との境界部分での防水を考慮する必要がなくなる。これにより、湾曲部４３，４４を有する二次止水シール４２の施工を容易に行える。しかも、湾曲形状を有することで、屋外側への導水をスムーズに行える。
【００６７】
（４）二次止水シール４２が弾性素材によって構成されているため、横目地２６の間隔が多少異なってもそれを吸収することができ、現場の施工管理が容易になる。また、湾曲部４３，４４が上下の外壁パネル２１，２４，７２，２２によって圧縮された状態で挟まれるため、湾曲形状の維持が容易となる。
【００６８】
（５）湾曲部４３，４４を有する二次止水シール４２の端部が、第１実施形態では下屋１６に覆われ、第２実施形態では腰壁パネル６３の外面内側に設けられて外部に露出しない。このため、横目地２６端部の止水性が高められるし、湾曲部４３，４４の存在によって住宅Ｔ１，Ｔ２の美観が損なわれることを防止できる。
【００６９】
［その他の実施形態］
なお、以上説明した実施の形態に限らず、例えば以下に別例として示した形態で実施することも可能である。
【００７０】
（ａ）上記実施の形態では、二次止水シール４２の端部に形成された湾曲部４３，４４が堰き止め部に相当するが、湾曲形状に代えて所定角度（例えば、直角）をなすように曲げられた折り曲げ部など他の形状をなすように形成されていてもよい。
【００７１】
また、湾曲部４３，４４はその先端が外壁パネル２１，７２の外面より屋外側に突出した状態となっているが、その外面よりも屋内側に先端が配置されるようにしてもよい。この場合でも、水の堰き止めと屋外側への導水機能を確保できるからである。もっとも、この両機能を充分なものとするには、外面よりも先端が屋外側に突出した上記実施形態の構成であることが好ましい。
【００７２】
さらに、二次止水シール４２の端部を曲げることによって湾曲部４３，４４が形成されているが、予め曲げられた形状に成形された湾曲部材を別途用意し、その湾曲部材が二次止水シール４２の端部に設けられた構成を採用してもよい。その場合、当該湾曲部材の素材は二次止水シール４２と同じ樹脂素材でも、金属等の他の素材であってもよい。
【００７３】
（ｂ）上記実施の形態では、堰き止め部としての湾曲部４３，４４は屋外側への導水機能を有しているが、その導水機能は必須のものではなく、少なくとも堰き止め機能を有していれば足りる。例えば、平面視においてコ字状をなす堰き止め部材が二次止水シール４２の端部に設けられた構成を採用してもよい。
【００７４】
（ｃ）上記実施の形態では、有端状の二次止水シール４２について、その両端部に湾曲部４３，４４が形成されているが、少なくともいずれか一方の端部に形成されていればよい。この場合でも、その湾曲部４３，４４を有する端部では、従来技術と違って屋外側へ水が浸入するおそれを低減できるからである。もっとも、屋内側への水の浸入防止効果を向上させる上では、両端部に湾曲部４３，４４を有する上記実施形態の構成が好ましい。
【００７５】
（ｄ）上記実施の形態では、横目地２６の止水シールとして、不定形シールからなる一次止水シール４１と、その屋内側に定形シールからなる二次止水シール４２が設けられているが、一次止水シール４１を省略してもよい。また、一次止水シール４１が設けられる場合でも、それを定形シールとしてもよい。もっとも、高い防水性の確保と止水シールの施工性とを考慮すると、上記実施形態の構成が最適であるといえる。
【００７６】
（ｅ）上記実施の形態では、横目地２６が途切れる要因として、一階部分１２に拡張下階部１４が設けられたり（第１実施形態）、住宅本体５１にキャンチバルコニー５７が設けられたり（第２実施形態）した場合を例として説明している。これはあくまで例示であり、横目地２６が途切れる要因には、その他に、出窓、庇、フラワーボックス等の張り出し部が建物本体に設けられた場合等が考えられる。
【００７７】
（ｆ）上記実施の形態では、鉄骨軸組工法による二階建ての戸建て住宅を建物の具体例としたが、下階外壁パネル２１と上階外壁パネル２２とによって横目地２６が形成される建物であれば、建物の種類は限定されない。例えば、在来工法によって建てられた建物やユニット式建物、店舗や倉庫等の住宅以外の建物、集合住宅等の建物であってもよい。
【符号の説明】
【００７８】
１１…住宅本体（建物本体）、１２…一階部分（下階部分）、１３…二階部分（上階部分）、１４…拡張下階部、１６…下屋、２１…下階外壁パネル、２２…上階外壁パネル、２３…下階コーナー外壁パネル、２４…上階コーナー外壁パネル、２６…横目地、３１…外装材、３２…外装フレーム（下地材）、４１…一次止水シール、４２…二次止水シール（止水シール）、４３，４４…湾曲部（堰き止め部）、５１…住宅本体（建物本体）、５７…キャンチバルコニー（張り出し部）、６１…張り出し骨組、Ｔ１，Ｔ２…住宅（建物）。
【図１】
2010209615.tif 000003
【図２】
2010209615.tif 000004
【図３】
2010209615.tif 000005
【図４】
2010209615.tif 000006
【図５】
2010209615.tif 000007
【図６】
2010209615.tif 000008
【図７】
2010209615.tif 000009
【図８】
2010209615.tif 000010